(57)【要約】本発明は、無線通信システムで移動端末がネットワークからサービスを受信する方法に関し、前記方法は、第１無線ベアラを設定し、前記第１無線ベアラに関連した第１サービスを受信する段階と、ネットワークから第２無線ベアラ設定情報を受信して第２無線ベアラを設定した後、前記第２無線ベアラに関連した第２サービスを受信する段階とを含む。前記移動端末は、前記第１無線ベアラに関連した前記第１サービスと前記第２無線ベアラに関連した前記第２サービス間の優先順位を決定し、前記第２無線ベアラが設定された場合、優先順位の高いサービスが受信できるか否かを判断できる。また、前記移動端末は、前記優先順位の高いサービスを維持する。
2007518306.tif 000002
【特許請求の範囲】
【請求項１】
第１無線ベアラを設定し、前記第１無線ベアラに関連した第１サービスを受信する段階と、
ネットワークから第２無線ベアラ設定情報を受信して第２無線ベアラを設定した後、前記第２無線ベアラに関連した第２サービスを受信する段階と、
前記第１無線ベアラに関連した前記第１サービスと前記第２無線ベアラに関連した前記第２サービス間の優先順位を決定する段階と、
前記第２無線ベアラが設定された場合、移動端末が優先順位の高いサービスを受信できるか否かを判断する段階と、
前記優先順位の高いサービスを維持する段階と
を含むことを特徴とする無線通信システムで移動端末がネットワークからサービスを受信する方法。
【請求項２】
前記移動端末が、ＲＲＣ接続状態にあることを特徴とする請求項１に記載の無線通信システムで移動端末がネットワークからサービスを受信する方法。
【請求項３】
前記第１無線ベアラは１対多無線ベアラであり、前記第２無線ベアラは１対１無線ベアラであることを特徴とする請求項１に記載の無線通信システムで移動端末がネットワークからサービスを受信する方法。
【請求項４】
前記第１無線ベアラは１対１無線ベアラであり、前記第２無線ベアラは１対多無線ベアラであることを特徴とする請求項１に記載の無線通信システムで移動端末がネットワークからサービスを受信する方法。
【請求項５】
前記優先順位の高いサービスを維持する段階は、
前記第２無線ベアラの設定を拒絶する段階を含むことを特徴とする請求項１に記載の無線通信システムで移動端末がネットワークからサービスを受信する方法。
【請求項６】
前記優先順位の高いサービスを維持する段階は、
優先順位の低いサービスの解除をネットワークに要求する段階を含むことを特徴とする請求項１に記載の無線通信システムで移動端末がネットワークからサービスを受信する方法。
【請求項７】
優先順位の高いサービスを前記ネットワークに通知する段階をさらに含むことを特徴とする請求項１に記載の無線通信システムで移動端末がネットワークからサービスを受信する方法。
【請求項８】
前記移動端末が受信できるサービスを前記ネットワークに通知する段階をさらに含むことを特徴とする請求項１に記載の無線通信システムで移動端末がネットワークからサービスを受信する方法。
【請求項９】
前記移動端末が受信できないサービスを前記ネットワークに通知する段階をさらに含むことを特徴とする請求項１に記載の無線通信システムで移動端末がネットワークからサービスを受信する方法。
【請求項１０】
ＵＴＲＡＮに優先順位情報を伝送する段階をさらに含むことを特徴とする請求項１に記載の無線通信システムで移動端末がネットワークからサービスを受信する方法。
【請求項１１】
コアネットワークに優先順位情報を伝送する段階をさらに含むことを特徴とする請求項１に記載の無線通信システムで移動端末がネットワークからサービスを受信する方法。
【請求項１２】
第１無線ベアラを設定し、前記第１無線ベアラに関連した第１サービスを伝送する段階と、
第２無線ベアラ設定情報を移動端末に伝送して第２無線ベアラを設定した後、前記第２無線ベアラに関連した第２サービスを伝送する段階と、
前記第１無線ベアラに関連した前記第１サービスと前記第２無線ベアラに関連した前記第２サービスのうち優先順位の高いサービスに関する優先順位情報を移動端末から受信する段階と、
前記移動端末から受信した優先順位情報によって前記優先順位の高いサービスを伝送する段階と
を含むことを特徴とする無線通信システムでネットワークから移動端末にサービスを伝送する方法。
【請求項１３】
前記移動端末が、ＲＲＣ接続状態にあることを特徴とする請求項１２に記載の無線通信システムでネットワークから移動端末にサービスを伝送する方法。
【請求項１４】
前記第１無線ベアラは１対多無線ベアラであり、前記第２無線ベアラは１対１無線ベアラであることを特徴とする請求項１２に記載の無線通信システムでネットワークから移動端末にサービスを伝送する方法。
【請求項１５】
前記第１無線ベアラは１対１無線ベアラであり、前記第２無線ベアラは１対多無線ベアラであることを特徴とする請求項１２に記載の無線通信システムでネットワークから移動端末にサービスを伝送する方法。
【請求項１６】
前記優先順位情報が、前記第２無線ベアラの設定を拒絶する情報を含むことを特徴とする請求項１２に記載の無線通信システムでネットワークから移動端末にサービスを伝送する方法。
【請求項１７】
前記優先順位情報が、優先順位の低いサービスの解除を要求する情報を含むことを特徴とする請求項１２に記載の無線通信システムでネットワークから移動端末にサービスを伝送する方法。
【請求項１８】
前記第２無線ベアラに関連したサービスに対して集計過程を行う段階をさらに含むことを特徴とする請求項１２に記載の無線通信システムでネットワークから移動端末にサービスを伝送する方法。
【請求項１９】
前記移動端末が受信できるサービスに関する情報を受信する段階をさらに含むことを特徴とする請求項１２に記載の無線通信システムでネットワークから移動端末にサービスを伝送する方法。
【請求項２０】
前記移動端末が受信できないサービスに関する情報を受信する段階をさらに含むことを特徴とする請求項１２に記載の無線通信システムでネットワークから移動端末にサービスを伝送する方法。
【請求項２１】
前記優先順位情報が、ＵＴＲＡＮにより受信されることを特徴とする請求項１２に記載の無線通信システムでネットワークから移動端末にサービスを伝送する方法。
【請求項２２】
前記優先順位情報が、コアネットワークにより受信されることを特徴とする請求項１２に記載の無線通信システムでネットワークから移動端末にサービスを伝送する方法。
【請求項２３】
第１無線ベアラを設定し、前記第１無線ベアラに関連した第１サービスを受信する段階と、
ネットワークから第２無線ベアラ設定情報を受信して第２無線ベアラを設定した後、前記第２無線ベアラに関連した第２サービスを受信する段階と、
移動端末が前記第１サービス及び前記第２サービスを両方とも受信できるか否かを判断する段階と、
前記移動端末が前記第１サービス及び前記第２サービスの両方は受信できない場合、どちらのサービスを受信するかを決定する段階と、
受信が決定されたサービスに基づいて、前記移動端末が受信しようとするサービスを前記ネットワークに通知する段階と
を含むことを特徴とする無線通信システムでサービスを受信する方法。
【請求項２４】
前記第１無線ベアラは１対多無線ベアラであり、前記第２無線ベアラは１対１無線ベアラであることを特徴とする請求項２３に記載の無線通信システムでサービスを受信する方法。
【請求項２５】
前記第１無線ベアラは１対１無線ベアラであり、前記第２無線ベアラは１対多無線ベアラであることを特徴とする請求項２３に記載の無線通信システムでサービスを受信する方法。
【請求項２６】
前記移動端末が、ＲＲＣ接続状態にあることを特徴とする請求項２３に記載の無線通信システムでサービスを受信する方法。
【請求項２７】
前記移動端末が前記第１サービス及び前記第２サービスを両方とも受信できるか否かを判断する段階は、
前記第２無線ベアラ設定情報と前記第１無線ベアラ設定情報とを比較する段階を含むことを特徴とする請求項２３に記載の無線通信システムでサービスを受信する方法。
【請求項２８】
前記移動端末が前記第１サービス及び前記第２サービスを両方とも受信できるか否かを判断する段階は、
前記第２無線ベアラ設定情報と前記移動端末の受信性能とを比較する段階を含むことを特徴とする請求項２３に記載の無線通信システムでサービスを受信する方法。
【請求項２９】
ＵＴＲＡＮは、前記移動端末から受信された情報に基づいて、前記第２無線ベアラに関連した前記第２サービスに対して集計過程を行うことを特徴とする請求項２３に記載の無線通信システムでサービスを受信する方法。
【請求項３０】
第１無線ベアラを設定し、前記第１無線ベアラに関連した第１サービスを受信する段階と、
ネットワークから第２無線ベアラ設定情報を受信して第２無線ベアラを設定した後、前記第２無線ベアラに関連した第２サービスを受信する段階と、
移動端末が前記第１サービス及び前記第２サービスを両方とも受信できるか否かを判断する段階と、
前記移動端末が前記第１サービス及び前記第２サービスの両方は受信できない場合、どちらのサービスを受信するかを決定する段階と、
受信が決定されたサービスに基づいて、前記端末が受信できないサービスをネットワークに通知する段階と
を含むことを特徴とする無線通信システムでサービスを受信する方法。
【請求項３１】
前記第１無線ベアラは１対多無線ベアラであり、前記第２無線ベアラは１対１無線ベアラであることを特徴とする請求項３０に記載の無線通信システムでサービスを受信する方法。
【請求項３２】
前記第１無線ベアラは１対１無線ベアラであり、前記第２無線ベアラは１対多無線ベアラであることを特徴とする請求項３０に記載の無線通信システムでサービスを受信する方法。
【請求項３３】
前記移動端末が、ＲＲＣ接続状態にあることを特徴とする請求項３０に記載の無線通信システムでサービスを受信する方法。
【請求項３４】
前記移動端末が前記第１サービス及び前記第２サービスを両方とも受信できるか否かを判断する段階は、
前記第２無線ベアラ設定情報と前記第１無線ベアラ設定情報とを比較する段階を含むことを特徴とする請求項３０に記載の無線通信システムでサービスを受信する方法。
【請求項３５】
前記移動端末が前記第１サービス及び前記第２サービスを両方とも受信できるか否かを判断する段階は、
前記第２無線ベアラ設定情報と前記移動端末の受信性能とを比較する段階を含むことを特徴とする請求項３０に記載の無線通信システムでサービスを受信する方法。
【請求項３６】
ＵＴＲＡＮは、前記移動端末から受信された情報に基づいて、前記第２無線ベアラに関連した前記第２サービスに対して集計過程を行うことを特徴とする請求項３０に記載の無線通信システムでサービスを受信する方法。
【請求項３７】
前記集計過程は、前記移動端末が前記ＵＴＲＡＮに該移動端末が受信できないサービスを通知すると終了することを特徴とする請求項３６に記載の無線通信システムでサービスを受信する方法。
【請求項３８】
複数のサービスに加入する段階と、
前記複数のサービス間の優先順位を決定する段階と、
コアネットワークに優先順位情報を伝送する段階と、
前記コアネットワークが前記優先順位情報をＵＴＲＡＮに伝送する段階とを含み、
前記ＵＴＲＡＮは、それぞれの前記複数のサービスが開始しているか、又はサービス中である場合、前記優先順位情報を利用して集計過程を行うことを特徴とする無線通信システムで移動端末がサービスを受信する方法。
【請求項３９】
前記コアネットワークに優先順位情報を伝送する段階は、
前記サービスの優先順位によって決定された順に各サービスの識別子を伝送する段階を含むことを特徴とする請求項３８に記載の無線通信システムで移動端末がサービスを受信する方法。
【請求項４０】
前記コアネットワークに優先順位情報を伝送する段階は、
各サービスの識別子に各サービスの優先順位値を追加する段階と、
前記各サービスの識別子を前記コアネットワークに伝送する段階とを含むことを特徴とする請求項３８に記載の無線通信システムで移動端末がサービスを受信する方法。
【請求項４１】
前記移動端末が、ＲＲＣ接続状態にあることを特徴とする請求項３８に記載の無線通信システムで移動端末がサービスを受信する方法。
【請求項４２】
前記ＵＴＲＡＮは、前記移動端末により決定された通り、前記移動端末機が優先順位の高いサービスから優先順位の低いサービスの順に前記サービスを受信すると判断することを特徴とする請求項３８に記載の無線通信システムで移動端末がサービスを受信する方法。
【請求項４３】
前記移動端末の受信性能情報を前記コアネットワークに伝送する段階と、
前記コアネットワークが前記移動端末の受信性能情報を前記ＵＴＲＡＮに伝送する段階とをさらに含み、
前記ＵＴＲＡＮは、それぞれの前記複数のサービスが開始しているか、又はサービス中である場合、前記移動端末の受信性能情報を利用して集計過程を行うことを特徴とする請求項３８に記載の無線通信システムで移動端末がサービスを受信する方法。
【請求項４４】
前記ＵＴＲＡＮは、前記移動端末の受信性能情報の限界によって前記移動端末がどのサービスを受信するかを判断することを特徴とする請求項４３に記載の無線通信システムで移動端末がサービスを受信する方法。
【請求項４５】
複数のサービスに加入する段階と、
前記複数のサービス間の優先順位を決定する段階と、
優先順位情報をＵＴＲＡＮに伝送する段階とを含み、
前記ＵＴＲＡＮは、それぞれの前記複数のサービスが開始しているか、又はサービス中である場合、前記優先順位情報を利用して集計過程を行うことを特徴とする無線通信システムで移動端末がサービスを受信する方法。
【請求項４６】
前記ＵＴＲＡＮに優先順位情報を伝送する段階は、
前記サービスの優先順位によって決定された順に各サービスの識別子を伝送する段階を含むことを特徴とする請求項４５に記載の無線通信システムで移動端末がサービスを受信する方法。
【請求項４７】
前記ＵＴＲＡＮに優先順位情報を伝送する段階は、
各サービスの識別子に各サービスの優先順位値を追加する段階と、
前記各サービスの識別子を前記ＵＴＲＡＮに伝送する段階とを含むことを特徴とする請求項４５に記載の無線通信システムで移動端末がサービスを受信する方法。
【請求項４８】
前記移動端末が、ＲＲＣ接続状態にあることを特徴とする請求項４５に記載の無線通信システムで移動端末がサービスを受信する方法。
【請求項４９】
前記ＵＴＲＡＮは、前記移動端末により決定された通り、前記移動端末が優先順位の高いサービスから優先順位の低いサービスの順に前記サービスを受信すると判断することを特徴とする請求項４５に記載の無線通信システムで移動端末がサービスを受信する方法。
【請求項５０】
前記移動端末の受信性能情報を前記ＵＴＲＡＮに伝送する段階をさらに含み、
前記ＵＴＲＡＮは、それぞれの前記複数のサービスが開始しているか、又はサービス中である場合、前記移動端末の受信性能情報を利用して集計過程を行うことを特徴とする請求項４５に記載の無線通信システムで移動端末がサービスを受信する方法。
【請求項５１】
前記ＵＴＲＡＮは、前記移動端末の受信性能情報の限界によって前記移動端末がどのサービスを受信するかを判断することを特徴とする請求項５０に記載の無線通信システムで移動端末がサービスを受信する方法。
【請求項５２】
第１無線ベアラを設定し、前記第１無線ベアラに関連した第１サービスを受信し、
ネットワークから第２無線ベアラ設定情報を受信して第２無線ベアラを設定した後、前記第２無線ベアラに関連した第２サービスを受信する受信部と、
前記第１無線ベアラに関連した前記第１サービスと前記第２無線ベアラに関連した前記第２サービス間の優先順位を決定し、
前記第２無線ベアラが設定された場合、移動端末が優先順位の高いサービスを受信できるか否かを判断するプロセッサと
を含むことを特徴とする無線通信システムで移動端末がネットワークからサービスを受信するための装置。
【請求項５３】
第１無線ベアラを設定し、前記第１無線ベアラに関連した第１サービスを伝送し、
第２無線ベアラ設定情報を移動端末に伝送して第２無線ベアラを設定した後、前記第２無線ベアラに関連した第２サービスを伝送し、
前記移動端末から受信された優先順位によって優先順位の高いサービスを伝送する送信部と、
前記移動端末から前記第１無線ベアラに関連した前記第１サービスと前記第２無線ベアラに関連した前記第２サービスのうち優先順位の高いサービスに関する優先順位情報を受信する受信部と
を含むことを特徴とする無線通信システムで移動端末にサービスを伝送するネットワーク。
【請求項５４】
第１無線ベアラを設定し、前記第１無線ベアラに関連した第１サービスを受信し、
ネットワークから第２無線ベアラ設定情報を受信して第２無線ベアラを設定した後、前記第２無線ベアラに関連した第２サービスを受信する受信部と、
移動端末が前記第１サービス及び前記第２サービスを両方とも受信できるか否かを判断し、
前記移動端末が前記第１サービス及び前記第２サービスの両方は受信できない場合、どちらのサービスを受信するかを決定するプロセッサと、
受信が決定されたサービスに基づいて、前記移動端末が受信しようとするサービスを前記ネットワークに通知する送信部と
を含むことを特徴とする無線通信システムでサービスを受信するための装置。
【請求項５５】
第１無線ベアラを設定し、前記第１無線ベアラに関連した第１サービスを受信し、
ネットワークから第２無線ベアラ設定情報を受信して第２無線ベアラを設定した後、前記第２無線ベアラに関連した第２サービスを受信する受信部と、
移動端末が前記第１サービス及び前記第２サービスを両方とも受信できるか否かを判断し、
前記移動端末が前記第１サービス及び前記第２サービスの両方は受信できない場合、どちらのサービスを受信するかを決定するプロセッサと、
前記受信することが決定されたサービスに基づいて、前記移動端末が受信できないサービスを前記ネットワークに通知する送信部と
を含むことを特徴とする無線通信システムでサービスを受信するための装置。
【請求項５６】
複数のサービスに加入し、前記複数のサービス間の優先順位を決定し、優先順位情報をコアネットワークに伝送する移動端末と、
前記優先順位情報をＵＴＲＡＮに伝送する送信部を有するコアネットワークとを含み、
前記ＵＴＲＡＮは、それぞれの前記複数のサービスが開始しているか、又はサービス中である場合、前記優先順位情報を利用して集計過程を行うことを特徴とする無線通信システムでサービスを受信するためのシステム。
【請求項５７】
複数のサービスに加入し、前記複数のサービス間の優先順位を決定し、優先順位情報をＵＴＲＡＮに伝送する移動端末を含み、
前記ＵＴＲＡＮは、それぞれの前記複数のサービスが開始しているか、又はサービス中である場合、前記優先順位情報を利用して集計過程を行うことを特徴とする無線通信システムでサービスを受信するためのシステム。
【発明の詳細な説明】
【技術分野】
【０００１】
本発明は、移動通信システムに関し、特に、マルチメディアブロードキャスト／マルチキャストサービスを送受信するための無線通信システム及び方法に関する。
【背景技術】
【０００２】
最近、移動通信システムが飛躍的に発展してきているが、大容量のデータ通信サービスにおいて、無線システムは、有線通信システムにより提供されるほどの性能を提供するまでには至っていない。従って、世界各国は、大量のデータ通信を可能にする移動通信システム、ＩＭＴ−２０００の技術開発を推進しており、その技術の標準化のために、互いに協力している。
【０００３】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）技術を基盤としてより向上した移動通信サービスの提供を目標とする。
【０００４】
ＵＭＴＳの標準化作業のために１９９８年１２月にヨーロッパのＥＴＳＩ、日本のＡＲＩＢ／ＴＴＣ、米国のＴ１及び韓国のＴＴＡなどは、第３世代移動体通信システムの標準化プロジェクト（Ｔｈｉｒｄ  Ｇｅｎｅｒａｔｉｏｎ  Ｐａｒｔｎｅｒｓｈｉｐ  Ｐｒｏｊｅｃｔ：  ３ＧＰＰ）というプロジェクトを構成し、現在までＵＭＴＳの詳細な標準仕様（Ｓｐｅｃｉｆｉｃａｔｉｏｎ）を作成中である。３ＧＰＰでは、ネットワーク構成要素とこれらの動作の独立性を考慮して、ＵＭＴＳの標準化作業を５つの技術規格グループ（Ｔｅｃｈｎｉｃａｌ  Ｓｐｅｃｉｆｉｃａｔｉｏｎ  Ｇｒｏｕｐｓ：  ＴＳＧ）に分けて進めている。
【０００５】
各ＴＳＧは、関連したエリア内で標準規格の開発、承認、及びその管理を担当するが、そのうち、無線接続ネットワーク（Ｒａｄｉｏ  Ａｃｃｅｓｓ  Ｎｅｔｗｏｒｋ：  ＲＡＮ）グループ（ＴＳＧ  ＲＡＮ）は、ＵＭＴＳにおいてＷＣＤＭＡ接続技術をサポートするための新しい無線接続ネットワークであるＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）の機能、要求事項及びインタフェースに関する規格を開発する。
【０００６】
図１は、従来のＵＭＴＳネットワーク１の構造を示す図であり、図１を参照すると、前記ＵＭＴＳは、ユーザ装置（ＵＥ又は端末）１０と、ＵＴＲＡＮ１００と、コアネットワーク（ＣＮ）２００とから構成される。前記ＵＥ１０は、前記ＵＴＲＡＮ２００を介して前記コアネットワーク２００に接続される。前記ＵＴＲＡＮ１００は、前記ＵＥ１０と前記コアネットワーク２００間の通話のために無線接続ベアラ（Ｒａｄｉｏ  Ａｃｃｅｓｓ  Ｂｅａｒｅｒ：  ＲＡＢ）を構成して維持及び管理し、エンドツーエンドサービス品質（ＱｏＳ）要求事項を充足させる。
【０００７】
前記ＵＴＲＡＮ１００は、複数の無線ネットワークサブシステム（Ｒａｄｉｏ  Ｎｅｔｗｏｒｋ  Ｓｕｂｓｙｓｔｅｍｓ：  ＲＮＳ）１１０、１２０を含み、各ＲＮＳ１１０、１２０は、複数の基地局又はＮｏｄｅ  Ｂ１１２、１１３のための１つの無線ネットワーク制御装置（Ｒａｄｉｏ  Ｎｅｔｗｏｒｋ  Ｃｏｎｔｒｏｌｌｅｒ：  ＲＮＣ）１１１を含む。所定のＮｏｄｅ  Ｂ１１２、１１３に接続された前記ＲＮＣ１１１は、１つのセル内で動作する前記ＵＥ１０に提供される共有リソースの割り当て及び管理を担当する制御ＲＮＣを意味する。前記制御ＲＮＣ１１１は、トラヒックロード、セル輻輳（ｃｏｎｇｅｓｔｉｏｎ）、及び新しい無線リンクの承認を制御する。各Ｎｏｄｅ  Ｂ１１２、１１３は、ＵＥ１０からアップリンク信号を受信し、前記ＵＥ１０にダウンリンク信号を伝送する。各Ｎｏｄｅ  Ｂ１１２、１１３は、ＵＥ１０とＵＴＲＡＮ１００を接続するアクセスポイントの役割を果たし、ＲＮＣ１１１は、該当Ｎｏｄｅ  Ｂと前記コアネットワーク２００を接続するためのアクセスポイントの役割を果たす。
【０００８】
前記ＵＥ１０とＵＴＲＡＮ１００間のインターフェースは、３ＧＰＰ無線アクセスネットワーク規格に準拠して設定された無線インターフェースプロトコルにより実現される。図２は、ＵＭＴＳで使用する従来の無線インターフェースプロトコル構造を示し、図２を参照すると、前記無線インターフェースプロトコルは、水平的には、物理層と、データリンク層と、ネットワーク層とに区分され、垂直的には、データ信号伝送のためのユーザプレーンと制御信号伝送のための制御プレーンとに区分される。前記ユーザプレーンは、音声信号やＩＰパケットなどのユーザのトラヒック情報を転送する領域であり、前記制御プレーンは、インターフェースの維持及び管理のための制御情報を扱う領域である。図２のプロトコル層は、この分野で公知の開放型システム間相互接続（ＯＳＩ）参照モデルの下位３層に基づいて第１層Ｌ１、第２層Ｌ２、及び第３層Ｌ３に分けられる。
【０００９】
前記第１層Ｌ１、すなわち、物理層（Ｐｈｙｓｉｃａｌ  Ｌａｙｅｒ：  ＰＨＹ）は、多様な無線伝送技術を用いて上位層に情報伝送サービス（Ｉｎｆｏｒｍａｔｉｏｎ  Ｔｒａｎｓｆｅｒ  Ｓｅｒｖｉｃｅ）を提供する。前記物理層は、上位層の媒体アクセス制御（Ｍｅｄｉｕｍ  Ａｃｃｅｓｓ  Ｃｏｎｔｒｏｌ：  ＭＡＣ）層に接続している。前記ＭＡＣ層とＰＨＹ層は、伝送チャネルでデータを交換する。
【００１０】
前記第２層Ｌ２は、前記ＭＡＣ層、無線リンク制御（Ｒａｄｉｏ  Ｌｉｎｋ  Ｃｏｎｔｒｏｌ：ＲＬＣ）層、ブロードキャスト／マルチキャスト制御（Ｂｒｏａｄｃａｓｔ／Ｍｕｌｔｉｃａｓｔ  Ｃｏｎｔｒｏｌ：  ＢＭＣ）層、及びパケットデータコンバージェンスプロトコル（Ｐａｃｋｅｔ  Ｄａｔａ  Ｃｏｎｖｅｒｇｅｎｃｅ  Ｐｒｏｔｏｃｏｌ：  ＰＤＣＰ）層から構成される。前記第２層Ｌ２のＭＡＣ層は、無線リソースの割り当て及び再割り当てのためにＭＡＣパラメータの割り当てサービスを提供し、論理チャネルで上位層であるＲＬＣ層に接続される。伝送情報の種類によって多様な論理チャネルが提供される。一般的に、制御プレーンの情報を伝送する場合は制御チャネルが利用され、ユーザプレーンの情報を伝送する場合はトラヒックチャネルが利用される。
【００１１】
前記第２層Ｌ２のＲＬＣ層は、信頼性のあるデータの転送をサポートし、上位層から転送された複数のＲＬＣサービスデータ単位（ＳＤＵ）の分割及び連結機能を果たす。前記ＲＬＣ  ＳＤＵのサイズは、前記ＲＬＣ層の処理容量別に調節され、プロトコルデータ単位（ＰＤＵ）を形成するためにヘッダが付加されてＭＡＣ層に転送される。
【００１２】
上位層から転送される前記ＳＤＵ及びＰＤＵは、前記ＲＬＣ層のＲＬＣバッファに保存される。前記ＲＬＣサービスは、前記ユーザプレーンのサービス特定プロトコル層（Ｓｅｒｖｉｃｅ−ｓｐｅｃｉｆｉｃ  ｐｒｏｔｏｃｏｌ  ｌａｙｅｒ）、すなわち、ＢＭＣ層及びＰＤＣＰ層により利用され、また、前記制御プレーンの信号伝送のための無線リソース制御（ＲＲＣ）層により利用される。
【００１３】
前記ＢＭＣ層は、コアネットワーク２００から転送されたセルブロードキャストメッセージ（以下、ＣＢメッセージという）をスケジューリングし、これらのＣＢメッセージを特定セルに位置するＵＥ１０にブロードキャストする。メッセージＩＤ、シリアルナンバー、符号化方式（ｃｏｄｉｎｇ  ｓｃｈｅｍｅ）などのヘッダ情報を前記ＣＢメッセージに加えてＢＭＣメッセージを生成した後、ＲＬＣ層に転送する。
【００１４】
前記ＲＬＣ層は、ＲＬＣヘッダ情報を加えて、前述したように形成されたメッセージを論理チャネルであるＣＴＣＨ（Ｃｏｍｍｏｎ  Ｔｒａｆｆｉｃ  Ｃｈａｎｎｅｌ）でＭＡＣ層に転送する。前記ＭＡＣ層は、前記ＣＴＣＨをトランスポートチャネルであるＦＡＣＨ（Ｆｏｒｗａｒｄ  Ａｃｃｅｓｓ  Ｃｈａｎｎｅｌ）にマッピングする。前記トランスポートチャネルは、物理チャネルであるＳ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）にマッピングされる。
【００１５】
前記ＰＤＣＰ層は、相対的に帯域幅の狭い無線インターフェース上でデータを効率的に伝送するために使用される。前記ＰＤＣＰ層は、ＩＰｖ４あるいはＩｐｖ６などのネットワークプロトコルと、有線ネットワークで使用される不要な制御情報を除去するためのヘッダ圧縮技術を用いる。前記ＰＤＣＰ層は、伝送において、ヘッダに必要な情報だけを含めることにより伝送効率を向上させる。
【００１６】
前記ＲＲＣ層は、ＵＥ１０とＵＴＲＡＮ１００間のネットワーク層Ｌ３の制御プレーンの信号を管理し、無線ベアラ（Ｒａｄｉｏ  Ｂｅａｒｅｒ：ＲＢ）の設定、再設定及び解除のためのトランスポートチャネル及び物理チャネルを制御する。ＲＢサービスは、ＵＥ１０とＵＴＲＡＮ１００間のデータ伝送のためにＲＬＣ層又はＭＡＣ層などの下位層により提供されるサービスである。
【００１７】
ＲＢの設定とは、特定サービスを提供するために必要なプロトコル層及びチャネルの特性を規定することで前記サービスのパラメータ及び動作方法を設定することを意味する。特定ＵＥ１０のＲＲＣ層とＵＴＲＡＮ１００のＲＲＣ層間に接続が設定されて伝送が可能なときは、前記ＵＥ１０がＲＣ接続状態にあるといい、前記接続が設定されていないときは、前記ＵＥ１０がアイドル状態にあるという。
【００１８】
なお、前記ＲＬＣ層は、接続された上位層によって、ユーザプレーン又は制御プレーンに含まれる。例えば、前記ＲＬＣ層が前記制御プレーンの一部である場合、データは、前記ＲＲＣ層から受信される。その他の場合は、前記ＲＬＣ層は、前記ユーザプレーンの一部である。
【００１９】
端末とＵＴＲＡＮ１００間にＲＲＣメッセージやＮＡＳメッセージを交換するために使用される特定無線ベアラをシグナリング無線ベアラ（Ｓｉｇｎａｌｉｎｇ  Ｒａｄｉｏ  Ｂｅａｒｅｒ：  ＳＲＢ）という。特定端末とＵＴＲＡＮ１００間にＳＲＢが設定されると、その端末とＵＴＲＡＮ１００間にはＲＲＣ接続が存在する。前記ＲＲＣ接続が形成された端末は、ＲＲＣ接続モード（又は、状態）にあるといい、ＲＲＣ接続が形成されていない端末は、アイドルモード（又は、状態）にあるという。前記端末がＲＲＣ接続モードにある場合、前記ＲＮＣは、セル単位によって該当端末の位置を確認及び管理する。前記端末がＲＲＣ接続モードに入ると、前記ＲＮＣは、ＵＴＲＡＮ１００にシグナリングメッセージを伝送する。前記ＲＲＣ接続モードの端末は、さらにＣＥＬＬ＿ＤＣＨモード、ＣＥＬＬ＿ＰＣＨモード、ＵＲＡ＿ＰＣＨモード及びＣＥＬＬ＿ＦＡＣＨモードに分けられる。
【００２０】
前記アイドル状態、ＵＲＡ＿ＰＣＨモード又はＣＥＬＬ＿ＰＣＨモードにあるＵＥの場合、不連続受信（Ｄｉｓ−ｃｏｎｔｉｎｕｏｕｓ  Ｒｅｃｅｐｔｉｏｎ：  ＤＲＸ）方式を用いて電力消費を減らす。前記ＤＲＸ方式において、端末は、ＰＩＣＨ（Ｐａｇｉｎｇ  Ｉｎｄｉｃａｔｏｒ  Ｃｈａｎｎｅｌ）及びＰＣＨ（Ｐａｇｉｎｇ  Ｃｈａｎｎｅｌ）がマッピングされるＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を不連続的に受信する。前記ＵＥは、ＰＩＣＨ又はＳＣＣＰＣＨが受信されない時間周期の間はスリープモード状態にある。前記ＵＥは、不連続受信周期長（ＤＲＸ  ｃｙｃｌｅ  ｌｅｎｇｔｈ）毎に起動してＰＩＣＨチャネルのＰＩ（Ｐａｇｉｎｇ  Ｉｎｄｉｃａｔｏｒ）を受信する。
【００２１】
ＲＲＣ接続状態にある端末は、さらにコアネットワーク２００とシグナリング接続（Ｓｉｇｎａｌｉｎｇ  Ｃｏｎｎｅｃｔｉｏｎ）を形成することもある。このシグナリング接続とは、端末とコアネットワーク２００間に制御メッセージを交換する経路を意味する。前記ＲＲＣ接続モードは、端末とＵＴＲＡＮ１００間の接続を意味する。従って、端末は、前記シグナリング接続を利用してコアネットワーク２００に自身の位置を通知したり、特定サービスを要求する。端末は、前記シグナリング接続を取得するためにはＲＲＣ接続モードにある必要がある。
【００２２】
以下、マルチメディアブロードキャスト／マルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ：  以下、ＭＢＭＳ又はＭＢＭＳサービスという）について説明する。ＭＢＭＳとは、ダウンリンク専用のＭＢＭＳ無線ベアラを利用して複数のＵＥ１０にストリーミング又はバックグラウンドサービスを提供するための方法を意味する。前記ＭＢＭＳ無線ベアラは、１対多（ｐｏｉｎｔ−ｔｏ−ｍｕｌｔｉｐｏｉｎｔ）無線ベアラサービス及び１対１（ｐｏｉｎｔ−ｔｏ−ｐｏｉｎｔ）無線ベアラサービスを活用できる。
【００２３】
前記名称から分かるように、ＭＢＭＳは、ブロードキャストモードやマルチキャストモードで実行できる。前記ブロードキャストモードは、ブロードキャストエリア、例えば、ブロードキャストサービスを利用できるドメイン内にある全てのＵＥにマルチメディアデータを伝送するためのモードである。前記マルチキャストモードは、マルチキャストエリア、例えば、マルチキャストサービスを利用できるドメイン内にある特定ＵＥグループにマルチメディアデータを伝送するためのモードである。
【００２４】
図３は、マルチキャストモードのＭＢＭＳサービス過程を示す。ここで、ＵＭＴＳネットワークがマルチキャストモードを利用して特定ＭＢＭＳサービス（第１サービス）を提供することを示し、端末（ＵＥ１）が前記特定サービス（前記第１サービス）を受信することを示す。
【００２５】
前記ＵＭＴＳネットワーク１が前記マルチキャストモードを利用して特定ＭＢＭＳサービスを提供する場合、サービスが提供されるＵＥ１０は、まずサービス提供者と各ＵＥ１０間の関係を設定するための加入手続きを行う必要がある。その後、前記加入者ＵＥ１０は、加入を確認させると共に、提供されるサービスのリストを含むサービス案内（Ｓｅｒｖｉｃｅ  Ａｎｎｏｕｎｃｅｍｅｎｔ）をコアネットワーク２００から受信する。
【００２６】
前記加入者ＵＥ１０は、前記特定ＭＢＭＳサービスを受信するＵＥのマルチキャストグループに「参加（ｊｏｉｎｉｎｇ）」することにより、サービスを受信しようとする自身の意思をコアネットワーク２００に通知する。サービスへの参加を終了することを「脱退（ｌｅａｖｉｎｇ）」という。各ＵＥは、データ伝送前、伝送中、又は伝送後のいつでも前記加入、参加及び脱退過程を行うことができる。
【００２７】
特定ＭＢＭＳのサービス中に、１つ以上のサービスセッションが順次発生する。コアネットワーク２００は、ＭＢＭＳデータソースによりデータが発生した場合、ＲＮＣ１１１にセッション開始を通知し、前記データ伝送が中断された場合、前記ＲＮＣにセッション中断を通知する。従って、前記特定ＭＢＭＳサービスのためのデータ伝送は、セッション開始とセッション中断の間に行われ、参加したＵＥ１０のみが前記時間にデータを受信することができる。
【００２８】
データ伝送に成功するために、ＵＴＲＡＮ１００は、コアネットワーク２００からセッション開始の通知を受信し、所定セル内の参加ＵＥ１０にＭＢＭＳ通知を伝送することで、データ伝送が差し迫ったことを通知する。ＵＴＲＡＮ１００は、前記ＭＢＭＳ通知を利用して前記所定セル内の参加ＵＥ１０の数を集計する。特に、ＵＴＲＡＮ１００は、特定セル内で特定ＭＢＭＳサービスを受信しようとする端末の数を集計する機能を実行することができる。
【００２９】
前記集計過程により、前記特定ＭＢＭＳサービスを提供する無線ベアラが１対多伝送のための無線ベアラであるか、１対１伝送のための無線ベアラであるか、又は無線ベアラが設定されていないかを判断する。特定サービスに対するＭＢＭＳ無線ベアラを選択するために、ＵＴＲＡＮ１００は、ＵＥ１０の数に対する閾値を設定する。これにより、ＵＥの数が少ない場合は、１対１ＭＢＭＳ無線ベアラを設定し、ＵＥの数が多い場合は、１対多ＭＢＭＳ無線ベアラを設定する。
【００３０】
前記無線ベアラは、参加ＵＥ１０がＲＲＣ接続状態にある必要があるかに基づいて設定される。１対１ＲＢが設定された場合、前記サービスを受信しようとする全ての参加ＵＥ１０はＲＲＣ接続状態にある。１対多ＲＢが設定された場合、前記サービスを受信しようとする全ての参加ＵＥ１０がＲＲＣ接続モードにある必要はない。その理由は、アイドル状態のＵＥも前記１対多ＲＢを利用してＭＢＭＳサービスが受信できるためである。また、前記集計の結果、前記特定ＭＢＭＳサービスを受信しようとするＵＥがない場合、ＵＴＲＡＮ１００は、無線ベアラを設定せず、ＭＢＭＳサービスデータも伝送しない。これは、サービスを受信しようとする端末がない場合も無線ベアラを設定することにより、無線資源が浪費されるからである。また、ＵＴＲＡＮ１００は、前記設定された無線ベアラを利用してＭＢＭＳサービスの１つのセッション中にコアネットワーク２００から受信されたＭＢＭＳサービスデータを伝送する。
【００３１】
前記集計の過程で、ＵＴＲＡＮ１００は、ＲＲＣアイドル状態にある端末に関する情報を有していない。従って、ＵＴＲＡＮ１００が特定ＭＢＭＳサービスに加入した、ＲＲＣアイドル状態にある端末の集計を要求した場合、端末は、ＵＴＲＡＮ１００とＲＲＣ接続を形成し、自身が前記特定ＭＢＭＳサービスを受信しようとしていることをＵＴＲＡＮ１００に通知しなければならない。
【００３２】
しかしながら、端末がＳＧＳＮ（Ｓｅｒｖｉｎｇ  ＧＰＲＳ  Ｓｕｐｐｏｒｔ  Ｎｏｄｅ）とシグナリング接続を形成している場合、前記ＳＧＳＮは、前記端末のＭＢＭＳに関する情報をＵＴＲＡＮ１００に通知する。前記情報は、前記端末が加入しているＭＢＭＳサービスのリストを含む。従って、端末が特定ＭＢＭＳサービスに加入しているか否かをＵＴＲＡＮ１００が把握できるため、前記端末は、ＵＴＲＡＮ１００の集計要求に応答しない。また、前記ＳＧＳＮとシグナリング接続を形成してはいないが、ＲＲＣ接続状態にある端末は、ＵＴＲＡＮ１００とＲＲＣ接続を形成すると、自分が加入しているＭＢＭＳサービスをＵＴＲＡＮ１００に通知することができる。従って、ＵＴＲＡＮ１００は、ＲＲＣ接続状態にある端末が応答を送信しなくても前記特定ＭＢＭＳサービスを受信しようとする端末の数が集計できる。
【００３３】
ＵＴＲＡＮ１００は、前記集計過程をＭＢＭＳサービスの初期段階でのみ行うのでなく、前記ＭＢＭＳサービスの１つのセッションの途中に行うこともできる。これは、前記ＭＢＭＳセッション中に端末が他のセルに移動したり、電源を切ったり、又は前記ＭＢＭＳサービスの加入を停止することにより、１つのセル内で前記ＭＢＭＳサービスを受信しようとする端末の数が変わる可能性があるためである。従って、ＵＴＲＡＮ１００は、より効率的に無線ベアラを設定するために、前記ＭＢＭＳセッション中にも前記集計過程を行うことができる。
【００３４】
しかしながら、この集計過程において、前記ＭＢＭＳサービスを受信しようとする端末の数を把握し、無線ベアラを設定すると、以下のような問題が発生する。端末は、前記ＭＢＭＳサービス案内により多様なＭＢＭＳサービスに関する情報を取得することができるため、複数のＭＢＭＳサービスに加入できる。前記端末が前記ＲＲＣ接続状態にとどまる場合、ＵＴＲＡＮ１００は、前記端末が加入している全てのＭＢＭＳサービスが分かる。従って、ＵＴＲＡＮ１００があるＭＢＭＳサービスに対して集計過程を行う場合、ＲＲＣ接続状態にあると共に該当ＭＢＭＳサービスに加入している端末を、該当ＭＢＭＳサービスが提供されることを希望する端末の数に加算する。
【００３５】
前記端末が加入しているサービスを同時に受信する場合、前記端末の性能に限界があるため、前記加入したサービスのうちいくつかのサービスが受信できなくなる可能性がある。例えば、２つのＭＢＭＳサービスに加入している端末が前記ＭＢＭＳサービスを受信できる１つのＳＣＣＰＣＨチャネルを有するとする。各ＭＢＭＳサービスが１つのセル内で１対多ＲＢを利用してそれぞれ異なるＳＣＣＰＣＨチャネルで伝送された場合、前記端末は、自身の性能に限界があるため、前記加入しているＭＢＭＳサービスのうちの１つのサービスのみを受信することができる。しかしながら、ＵＴＲＡＮ１００は、前記端末が前記ＭＢＭＳサービスのうちの１つを受信できなかったことが認識できない。その結果、ＵＴＲＡＮ１００は、前記集計過程を行って前記端末が加入している２つのＭＢＭＳサービスを全て受信したと誤解する。ＵＴＲＡＮ１００は、この情報に基づいて無線ベアラを設定する。
【００３６】
前記集計過程で発生するエラーは、無線リソースの浪費を招く。例えば、１つのセルに６つの端末が存在し、６つ全ての端末がＭＢＭＳサービスＡとＭＢＭＳサービスＢに加入し、６つ全ての端末がＲＲＣ接続状態にあり、さらに、１つのＳＣＣＰＣＨでサービスが受信できると仮定する。また、１対多無線ベアラを設定するための閾値は３であり、前記ＭＢＭＳサービスＡは１つのセルで１対多無線ベアラにより伝送され、ＵＴＲＡＮ１００は、コアネットワーク２００から前記ＭＢＭＳサービスＢに対するセッション開始通知を受信したと仮定する。この場合、ＵＴＲＡＮ１００は、前記ＭＢＭＳサービスＢを受信しようとする端末が６つであると判断して１対多無線ベアラを設定する。
【００３７】
しかしながら、前記ＭＢＭＳサービスＡを伝送するために使用したＳＣＣＰＣＨとは異なるＳＣＣＰＣＨを前記ＭＢＭＳサービスＢを伝送するために使用した場合、前記６つの端末は、自身の性能に限界があるため、前記ＭＢＭＳサービスＡとＢのうちの１つのみを受信する。従って、ユーザの選択によって前記ＭＢＭＳサービスＡ又は前記ＭＢＭＳサービスＢのいずれかが受信される。また、５つの端末は前記ＭＢＭＳサービスＡを、１つの端末は前記ＭＢＭＳサービスＢを受信すると決定する状況が発生することがある。この場合、前記ＭＢＭＳサービスＢを受信しようとする端末が１つであるので、ＵＴＲＡＮ１００は、前記ＭＢＭＳサービスＢを受信しようとする端末の数が閾値３より小さいため、１対１無線ベアラを設定しなければならない。しかしながら、従来のＵＴＲＡＮ１００は、６つ全ての端末が前記ＭＢＭＳサービスＢを受信しようとすると間違って集計するため、前記ＭＢＭＳサービスＢに対して１対多無線ベアラを設定する。このエラーは、ＵＴＲＡＮ１００が前記端末の性能情報やユーザのサービス選択情報などが分からないことにより発生する。また、１対多無線ベアラの設定は、１対１無線ベアラを設定するより何倍も多いリソースを必要とする。その結果、従来の方式の集計過程のエラーにより、無線資源が浪費され、１つのセルで同時に提供できるサービスの数が制限される。
【発明の開示】
【発明が解決しようとする課題】
【００３８】
従って、本発明の目的は、無線通信システムでサービスを送受信するための方法及びシステムを提供することにある。
【００３９】
本発明の付加的な長所と特徴は以下の説明に記載され、一部は当業者が以下の内容を検討するか、又は発明を実施することにより明確になる。本発明の他の長所と目的は以下に記載の説明、請求項、添付図面に特別に指摘された構成によって実現及び達成される。
【課題を解決するための手段】
【００４０】
このような目的を達成するために、本発明は、方法及びシステムにおいて実現される。本発明の好ましい実施形態において、無線通信システムで移動端末がネットワークからサービスを受信する方法は、第１無線ベアラを設定し、前記第１無線ベアラに関連したサービスを受信する段階と、ネットワークから第２無線ベアラ設定情報を受信して第２無線ベアラを設定した後、前記第２無線ベアラに関連したサービスを受信する段階と、前記第１無線ベアラのサービスと前記第２無線ベアラのサービス間の優先順位を決定する段階と、前記第２無線ベアラが設定された場合、前記移動端末が優先順位の高いサービスを受信できるか否かを判断する段階と、前記優先順位の高いサービスを維持する段階とを含む。
【００４１】
前記移動端末は、ＲＲＣ接続モードにあり、前記第１無線ベアラは１対多無線ベアラであり、前記第２無線ベアラは１対１無線ベアラである。又は、前記第１無線ベアラは１対１無線ベアラであり、前記第２無線ベアラは１対多無線ベアラである。
【００４２】
より詳しくは、前記優先順位の高いサービスを維持する段階は、前記第２無線ベアラの設定を拒絶する段階を含む。さらに、前記優先順位の高いサービスを維持する段階は、優先順位の低いサービスの解除をネットワークに要求する段階を含む。前記方法は、前記ネットワークに前記優先順位の高いサービスを通知する段階をさらに含む。
【００４３】
さらに、前記方法は、移動端末が受信できるサービスをネットワークに通知する段階を含む。又は、前記方法は、移動端末が受信できないサービスを前記ネットワークに通知する段階を含む。
【００４４】
さらに、前記方法は、優先順位情報をＵＴＲＡＮに伝送する段階を含む。また、前記方法は、優先順位情報をコアネットワークに伝送する段階を含む。
【００４５】
本発明の他の実施形態において、無線通信システムでネットワークが移動端末にサービスを伝送する方法は、第１無線ベアラを設定し、前記第１無線ベアラに関連したサービスを伝送する段階と、前記移動端末に第２無線ベアラ設定情報を伝送して第２無線ベアラを設定した後、前記第２無線ベアラに関連したサービスを伝送する段階と、前記第１無線ベアラに関連したサービスと前記第２無線ベアラに関連したサービスのうち優先順位の高いサービスに関する優先順位情報を前記移動端末から受信する段階と、前記移動端末から受信した優先順位情報によって前記優先順位の高いサービスを伝送する段階とを含む。
【００４６】
前記移動端末は、ＲＲＣ接続モードにあり、前記第１無線ベアラは１対多無線ベアラであり、前記第２無線ベアラは１対１無線ベアラである。又は、前記第１無線ベアラは１対１無線ベアラであり、前記第２無線ベアラは１対多無線ベアラである。
【００４７】
より詳しくは、前記優先順位情報は、前記第２無線ベアラ設定を拒絶する情報を含む。さらに、前記優先順位情報は、優先順位の低いサービスの解除を要求する情報を含む。前記方法は、前記第２無線ベアラに関連したサービスに対して集計過程を行う段階を含む。
【００４８】
さらに、前記方法は、前記移動端末が受信できるサービスをネットワークに通知する段階を含む。又は、前記方法は、前記移動端末が受信できないサービスを前記ネットワークに通知する段階を含む。さらに、前記優先順位情報は、ＵＴＲＡＮにより受信されるか、又は、コアネットワークにより受信される。
【００４９】
本発明の他の実施形態において、無線通信システムでサービスを受信する方法は、第１無線ベアラを設定し、前記第１無線ベアラに関連した第１サービスを受信する段階と、ネットワークから第２無線ベアラ設定情報を受信して前記第２無線ベアラを設定した後、前記第２無線ベアラに関連した第２サービスを受信する段階と、移動端末が前記第１サービス及び前記第２サービスを両方とも受信できるか否かを判断する段階と、前記移動端末が前記第１サービスと前記第２サービスの両方は受信できない場合、どちらのサービスを受信するかを決定する段階と、受信が決定されたサービスに基づいて前記移動端末が受信しようとするサービスを前記ネットワークに通知する段階とを含む。
【００５０】
さらに、前記移動端末が前記第１サービス及び前記第２サービスを両方とも受信できるか否かを判断する段階は、前記第２無線ベアラ設定情報と前記第１無線ベアラ設定情報とを比較する段階を含む。また、前記移動端末が前記第１サービス及び前記第２サービスを両方とも受信できるか否かを判断する段階は、前記第２無線ベアラ設定情報と前記移動端末の受信性能とを比較する段階を含む。
【００５１】
さらに、ＵＴＲＡＮは、前記移動端末から受信した情報に基づいて前記第２無線ベアラに関連した前記第２サービスに対して集計過程を行う。
【００５２】
本発明の他の実施形態において、無線通信システムでサービスを受信する方法は、第１無線ベアラを設定して前記第１無線ベアラに関連した第１サービスを受信する段階と、ネットワークから第２無線ベアラ設定情報を受信して第２無線ベアラを設定した後、前記第２無線ベアラに関連した第２サービスを受信する段階と、移動端末が前記第１サービス及び前記第２サービスを両方とも受信できるか否かを判断する段階と、前記移動端末が前記第１サービス及び前記第２サービスの両方は受信できない場合、どちらのサービスを受信するかを決定する段階と、受信が決定されたサービスに基づいて前記移動端末が受信できないサービスをネットワークに通知する段階とを含む。
【００５３】
さらに、前記移動端末が前記第１サービス及び前記第２サービスを両方とも受信できるか否かを判断する段階は、前記第２無線ベアラ設定情報と前記第１無線ベアラ設定情報とを比較する段階を含む。また、前記移動端末が前記第１サービス及び前記第２サービスを両方とも受信できるか否かを判断する段階は、前記第２無線ベアラ設定情報と前記移動端末の受信性能とを比較する段階をさらに含む。
【００５４】
さらに、ＵＴＲＡＮは、前記移動端末から受信した情報に基づいて前記第２無線ベアラに関連した前記第２サービスに対して集計過程を行う。前記集計過程は、前記移動端末が受信できないサービスをＵＴＲＡＮに通知すると終了する。
【００５５】
本発明の他の実施形態において、無線通信システムで移動端末がサービスを受信する方法は、複数のサービスに加入する段階と、前記複数のサービス間の優先順位を決定する段階と、コアネットワークに優先順位情報を伝送する段階と、コアネットワークが前記優先順位情報をＵＴＲＡＮに伝送する段階とを含み、前記ＵＴＲＡＮは、それぞれの前記複数のサービスが開始しているか、又はサービス中である場合、前記優先順位情報を利用して集計過程を行う。
【００５６】
前記コアネットワークに優先順位情報を伝送する段階は、サービスの優先順位によって決定された順に各サービスの識別子を伝送する段階を含む。又は、前記コアネットワークに優先順位情報を伝送する段階は、各サービスの優先順位値を各サービスの識別子に追加する段階と、前記各サービスの識別子を前記コアネットワークに伝送する段階とを含む。
【００５７】
さらに、前記ＵＴＲＡＮは、前記移動端末が自身が決定した通り、優先順位の高いサービスから優先順位の低いサービスの順に前記サービスを受信すると判断する。
【００５８】
さらに、前記方法は、移動端末の受信性能情報を前記コアネットワークに伝送する段階と、前記コアネットワークが前記移動端末の受信性能情報を前記ＵＴＲＡＮに伝送する段階とを含み、前記ＵＴＲＡＮは、それぞれの前記複数のサービスが開始しているか、又はサービス中である場合、前記受信された移動端末の受信性能情報を利用して集計過程を行う。一側面において、前記ＵＴＲＡＮは、移動端末の受信性能の限界によって前記移動端末が受信するサービスを決定する。
【００５９】
本発明の他の実施形態において、無線通信システムで移動端末がサービスを受信する方法は、複数のサービスに加入する段階と、前記複数のサービス間の優先順位を決定する段階と、それぞれの前記複数のサービスが開始しているか、又はサービス中である場合、優先順位情報を利用して集計過程を行うＵＴＲＡＮに前記優先順位情報を伝送する段階とを含む。
【００６０】
前記ＵＴＲＡＮに優先順位情報を伝送する段階は、前記サービスの優先順位によって決定された順に各サービスの識別子を伝送する段階を含む。又は、前記ＵＴＲＡＮに優先順位情報を伝送する段階は、各サービスの優先順位値を各サービスの識別子に追加する段階と、前記各サービスの識別子をＵＴＲＡＮに伝送する段階とを含む。
【００６１】
さらに、前記ＵＴＲＡＮは、移動端末が自身が決定した通り、優先順位の高いサービスから優先順位の低いサービスの順にサービスを受信すると判断する。
【００６２】
さらに、前記方法は、ＵＴＲＡＮに移動端末の受信性能情報を伝送する段階を含み、前記ＵＴＲＡＮは、それぞれの前記複数のサービスが開始しているか、又はサービス中である場合、前記移動端末の受信性能情報を利用して集計過程を行う。さらに、前記ＵＴＲＡＮは、移動端末の受信性能の限界によって前記移動端末が受信するサービスを決定する。
【００６３】
本発明についての前記一般的な説明と以下の詳細な説明は、単に実施形態を提示して説明をするためのものであり、本発明についての追加的な説明のために記載されたものであることが明白である。
【発明の効果】
【００６４】
前記ＵＴＲＡＮがＭＢＭＳサービスを受信しようとする端末の数のより正確な集計をサポートすることにより、前記端末及び前記ＵＴＲＡＮに割り当てられる無線リソースを減少させることができる。その結果、前記端末が優先順位の高いＭＢＭＳサービスを受信する。
【発明を実施するための最良の形態】
【００６５】
以下、本発明の好ましい実施形態を図面を参照して詳細に説明する。
【００６６】
本発明の第１実施形態によると、無線システムは、複数のＭＢＭＳサービスを提供するセルから構成され、前記セルは、移動端末又はＵＥ１０とＵＴＲＡＮ１００とを含む。前記端末１０は、複数のＭＢＭＳサービスに加入することができ、データをＵＴＲＡＮ１００に伝送する。好ましくは、前記端末１０が伝送する前記データは、前記端末が受信しているか、又は受信しようとするＭＢＭＳサービスに関する情報を含む。前記ＵＴＲＡＮ１００は、前記端末１０から受信した情報に基づいて無線リソースを管理する。
【００６７】
特に、前記端末１０は、以下のような状況によってデータを前記ＵＴＲＡＮ１００に伝送する。現在特定ＭＢＭＳサービスを受信している端末１０は、自身が既に加入している他のＭＢＭＳサービスに関連したＭＢＭＳ通知メッセージを前記ＵＴＲＡＮ１００から受信する。前記端末１０は、他のＭＢＭＳサービスに関する無線ベアラ設定情報を受信した後、前記受信した情報と自身の受信性能とを比較する。前記端末１０は、セルが伝送する、自身が加入しているＭＢＭＳサービスの全ては受信できないと判断された場合、自身が加入している全てのサービスのうち受信しようとするＭＢＭＳサービスを前記ＵＴＲＡＮ１００に通知する。
【００６８】
さらに、前記端末１０は、以下のような状況によってデータを前記ＵＴＲＡＮ１００に伝送できる。前記端末１０がＲＲＣ接続状態で特定ＭＢＭＳサービスを受信している場合、前記端末１０が受信しているＭＢＭＳサービスのいずれかの無線ベアラ設定情報が変化する可能性がある。前記端末１０は、前記変化した無線ベアラ設定情報と自身の受信性能とを比較する。セルが伝送する、自身が加入しているサービスの全ては受信できないと判断された場合、前記端末１０は、前記ＵＴＲＡＮ１００に自身が加入している全てのサービスのうち受信しようとするＭＢＭＳサービスを通知する。
【００６９】
前記端末１０は、さらに、以下のような状況によって前記ＵＴＲＡＮ１００にデータを伝送する。ＲＲＣ接続状態にあるとき、前記端末１０は、自身の受信性能によって自身が加入しているＭＢＭＳサービスを選択的に受信することができる。ユーザが自身の好みによってサービスを選択的に受信することにより、受信されるＭＢＭＳサービスが変更される。ユーザの選択により変更が発生すると、前記端末１０は、前記ＵＴＲＡＮ１００に自身が加入している全てのサービスのうち受信しようとするＭＢＭＳサービスを通知する。
【００７０】
前記端末１０が前記ＵＴＲＡＮ１００に伝送するＭＢＭＳ関連情報は、ＭＢＭＳサービス識別子を含む。前記サービス識別子は、各端末１０が受信しようとするサービスを前記ＵＴＲＡＮ１００に通知する。前記端末１０は、各ＲＲＣ状態で受信できるＭＢＭＳサービスの組み合わせに関する情報だけでなく、自身のＭＢＭＳサービス受信性能もＵＴＲＡＮ１００に通知する。例えば、前記端末がＣＥＬＬ＿ＤＣＨ状態にある場合、前記端末１０は、１対多無線ベアラ（ＲＢ）により伝送されたＭＢＭＳサービスが受信できるか否かを前記ＵＴＲＡＮ１００に通知する。前記端末がＣＥＬＬ＿ＦＡＣＨ状態にある場合、前記端末１０は、同時に伝送されたＭＢＭＳサービスを受信できる他のＳＣＣＰＣＨの数を前記ＵＴＲＡＮ１００に通知する。前記ＵＴＲＡＮ１００は、前記サービスが１つのセル内で伝送される場合、前記情報を利用して前記端末１０がどのサービスを受信するか、又は受信しないかを確認する。
【００７１】
前記ＵＴＲＡＮ１００は、前記端末１０から受信したＭＢＭＳ関連情報に基づいてセルから伝送された各ＭＢＭＳサービスに対して集計過程を行う。前記端末１０がデータを前記ＵＴＲＡＮ１００に伝送すると、前記ＵＴＲＡＮ１００は、ＲＲＣ接続状態にある端末１０からＭＢＭＳサービス受信情報を受信する。前記端末１０が加入していると共に、前記セルが伝送しているか、又は伝送するＭＢＭＳサービスが、前記端末１０により伝送された前記ＭＢＭＳサービス受信情報に含まれていない場合、前記ＵＴＲＡＮ１００は、前記ＭＢＭＳサービスを受信しようとする端末の数又は端末のリストから前記端末１０を除く。前記ＵＴＲＡＮ１００は、前記ＭＢＭＳサービスを受信しようとする端末の数を更新してその数を閾値と比較する。必要によって、前記ＵＴＲＡＮ１００は、前記ＭＢＭＳサービスに対する無線ベアラを再設定する。
【００７２】
さらに、前記ＵＴＲＡＮ１００は、前記端末１０を管理することができ、ここで、前記端末１０は、ＲＲＣ接続状態にあり、特定ＭＢＭＳサービスに加入しているが前記特定サービスを受信できない状態にある。この場合、前記ＵＴＲＡＮ１００は、前記ＭＢＭＳサービスを受信できないか、受信を希望しない端末から構成されたリストを利用して前記端末を管理する。
【００７３】
本発明の第２実施形態によると、無線システムは、複数のＭＢＭＳサービスを提供するセルから構成される。前記セルは、移動端末又はＵＥ１０とＵＴＲＡＮ１００とを含む。前記端末１０は、複数のＭＢＭＳサービスに加入することができ、前記ＵＴＲＡＮ１００にデータを伝送する。好ましくは、前記端末１０が伝送するデータは、前記端末が受信できないか、又は受信を希望しないＭＢＭＳサービスに関する情報を含む。前記ＵＴＲＡＮ１００は、前記端末１０から受信した情報に基づいて無線リソースを管理する。
【００７４】
第１実施形態とは異なり、前記端末１０は、自身が加入しており、前記セルから伝送されたＭＢＭＳサービスのうち、受信できるか、又は受信するＭＢＭＳサービスを前記ＵＴＲＡＮ１００に通知しない。代りに、前記端末１０は、自身が加入しており、前記セルから伝送されたＭＢＭＳサービスのうち、受信できないか、受信しないＭＢＭＳサービスを前記ＵＴＲＡＮ１００に通知する。このような方式では、前記ＵＴＲＡＮ１００が前記集計過程を行うとき、前記端末１０が受信しないＭＢＭＳサービスのリストを直接前記ＵＴＲＡＮ１００に通知する。
【００７５】
図４は、第１及び２実施形態野による端末１０とＵＴＲＡＮ１００間の動作を示す図である。セル内はＭＢＭＳサービスＡのためのセッション中である。前記ＭＢＭＳサービスＡのセッション中に、前記ＵＴＲＡＮ１００は、ＭＢＭＳサービスデータを端末１０に送信する。前記第１及び２実施形態による端末１０は、ＲＲＣ接続状態でＭＢＭＳサービスＡを受信する。前記端末１０は、ＭＢＭＳサービスＢにも加入している。
【００７６】
コアネットワーク２００からＭＢＭＳサービスＢに関連したセッション開始メッセージが到着すると（Ｓ１０）、前記ＵＴＲＡＮ１００は、前記ＭＢＭＳサービスＢに対して集計過程を行う（Ｓ２０）。前記集計結果により、前記ＵＴＲＡＮ１００は、前記ＭＢＭＳサービスＢに関連した無線ベアラ設定情報を前記端末１０に通知する（Ｓ３０）。
【００７７】
前記ＭＢＭＳサービスＡ及びＭＢＭＳサービスＢの両方に加入している端末１０は、各ＭＢＭＳサービスに関連した無線ベアラ設定情報及び自身の受信性能に基づいて、ＭＢＭＳサービスＡ及びＭＢＭＳサービスＢを両方とも受信できるか否かを判断する。前記端末が加入しているサービスのうち受信できないサービスが存在する場合、前記端末１０は、どのサービスを受信するかを決定する（Ｓ４０）。その後、前記端末は、前記段階（Ｓ４０）の決定に基づいて、自身が受信しようとするＭＢＭＳサービスのリストを前記ＵＴＲＡＮ１００に通知する（Ｓ５０）。ここで、前記端末１０は、自身が受信できないＭＢＭＳサービスのリストを前記ＵＴＲＡＮ１００に通知することもでき、さらに、２つのリストを両方とも通知することもできる。
【００７８】
前記端末１０が加入しているが、受信できないＭＢＭＳサービスの場合、前記ＵＴＲＡＮ１００は、前記端末１０から受信した情報に基づいて前記集計過程を行う（Ｓ６０）。すなわち、前記ＵＴＲＡＮ１００は、該当ＭＢＭＳサービスを受信しようとする端末の数又は端末のリストから前記端末を除く。その後、前記ＵＴＲＡＮ１００は、各ＭＢＭＳサービスに対する前記集計過程（Ｓ６０）の結果と閾値とを比較する。前記ＵＴＲＡＮ１００は、必要によって、無線ベアラを再設定した後、前記変更された情報を前記端末１０に通知する（Ｓ７０）。
【００７９】
本発明の第３実施形態によると、無線システムは、複数のＭＢＭＳサービスを提供するセルから構成され、前記セルは、移動端末又はＵＥ１０と、ＵＴＲＡＮ１００とを含む。前記端末１０は、複数のＭＢＭＳサービスに加入することができ、加入しているＭＢＭＳサービス間の優先順位を決定する。前記サービス間の優先順位が決定されると、前記端末１０は、前記優先順位情報をコアネットワーク（ＣＮ）２００に伝送する。前記ＵＴＲＡＮ１００は、前記端末１０から受信した前記優先順位情報に基づいて集計過程を行う。
【００８０】
前記端末１０が所定ＭＢＭＳサービスに加入すると、前記端末は、前記加入したＭＢＭＳサービス間の優先順位を決定して前記優先順位情報をシステムに通知する。前記優先順位情報は、前記ＣＮ２００に保存される。前記端末がＳＧＳＮとシグナリング接続を形成すると、前記ＵＴＲＡＮ１００は、前記ＣＮ２００から前記優先順位情報を受信する。その後、前記ＵＴＲＡＮ１００は、各ＭＢＭＳサービスが開始しているか、サービス中であると、集計過程を実行している間、前記優先順位情報を利用する。
【００８１】
前記端末１０がＲＲＣ接続状態にある場合、前記ＵＴＲＡＮ１００は、前記端末のサービス受信性能及び前記端末が加入しているＭＢＭＳサービス間の前記端末の好みの優先順位が分かる。従って、前記加入しているＭＢＭＳサービスのうち複数のサービスが同時に進行中である場合、前記ＵＴＲＡＮ１００は、前記端末１０が自身が決定した通り、優先順位の高いサービスから優先順位の低いサービスの順に受信可能なＭＢＭＳサービスを受信すると判断する。さらに、前記ＵＴＲＡＮ１００は、前記端末が自身の受信性能の限界によってどのＭＢＭＳサービスを受信するかを判断する。
【００８２】
前記端末が前記ＭＢＭＳサービスを受信すると判断された場合、前記ＵＴＲＡＮ１００は、前記集計過程を実行している間、サービスを受信しようとする端末の数に前記端末を含める。前記集計過程を行った後、必要によって、前記ＵＴＲＡＮ１００は、無線ベアラを再設定してその変更された情報を前記端末１０に通知する。
【００８３】
本発明の第４実施形態によると、無線システムは、複数のＭＢＭＳサービスを提供するセルから構成され、前記セルは、移動端末又はＵＥ１０とＵＴＲＡＮ１００とを含む。前記端末１０は、複数のＭＢＭＳサービスに加入することができ、加入しているＭＢＭＳサービス間の優先順位を決定する。前記サービス間の優先順位が決定されると、前記端末１０は、前記優先順位情報を前記ＵＴＲＡＮ１００に伝送する。前記ＵＴＲＡＮ１００は、前記端末１０から受信した前記優先順位情報に基づいて集計過程を行う。
【００８４】
第３実施形態とは異なり、前記端末１０は、自身が加入しているＭＢＭＳサービス間の優先順位を前記ＣＮ２００に通知せず、自身がＲＲＣ接続状態にあるとき、前記ＵＴＲＡＮ１００に直接通知する。このような方法で、前記ＵＴＲＡＮ１００と前記ＣＮ２００間の不要なメッセージ交換が減少する。また、前記端末１０は、より迅速に自身の優先順位情報を前記ＵＴＲＡＮ１００に通知できる。
【００８５】
特に、前記端末１０がＲＲＣ接続状態に入ると、前記端末１０は、自身が加入しているＭＢＭＳサービス間の優先順位を前記ＵＴＲＡＮ１００に通知する。また、前記端末１０が自身が加入しているＭＢＭＳサービスに関連したＭＢＭＳメッセージを受信すると、前記端末１０は、ＭＢＭＳサービス間の優先順位を前記ＵＴＲＡＮ１００に通知する。
【００８６】
また、前記端末がＲＲＣ接続状態で各ＭＢＭＳサービスの優先順位を再設定する度に、前記端末は、前記再設定された優先順位情報を前記ＵＴＲＡＮ１００に通知する。従って、所定ＭＢＭＳサービスの受信中にセルから伝送された他のＭＢＭＳサービスを受信しようとする場合、前記端末１０が自身が加入している各ＭＢＭＳサービスの優先順位情報を前記ＵＴＲＡＮ１００に通知することで、前記ＵＴＲＡＮ１００は、前記端末１０が他のＭＢＭＳサービスを受信しようとするか、又は受信していることが分かる。
【００８７】
前記ＵＴＲＡＮ１００に各ＭＢＭＳサービスの優先順位を通知するとき、前記端末１０は、前記ＵＴＲＡＮ１００にサービスの優先順位によって決定された順に各サービスの識別子を伝送する。又は、前記端末１０は、各サービスの識別子を伝送するとき、各サービスの優先順位値を追加することにより、各ＭＢＭＳサービスの優先順位を前記ＵＴＲＡＮ１００に通知する。
【００８８】
また、各ＭＢＭＳサービスの優先順位を前記ＵＴＲＡＮ１００に通知するとき、前記端末１０は、自身が加入している全てのサービスに関連した優先順位情報を伝送するか、又はセルから伝送されていると共に前記端末が加入しているＭＢＭＳサービスに関連した優先順位情報のみを伝送することもできる。
【００８９】
本発明の第５実施形態において、所定ＭＢＭＳサービスに対して設定された無線ベアラ（ＲＢ）が変更されなければならない場合の端末１０及びＵＴＲＡＮ１００の動作を説明する。
【００９０】
前記ＵＴＲＡＮ１００が所定ＭＢＭＳサービスに対して設定されたＲＢの設定を変更するか、又は、新しいＲＢに対する設定情報を端末に伝送する場合、前記端末１０は、前記ＵＴＲＡＮ１００から受信した新しいＲＢの設定情報を確認する。従って、前記変更されたＲＢにより、前記端末１０が自身が受信しようとするサービスを受信できない状況が発生することがある。この場合、本発明によると、前記端末１０は、受信しようとするサービスを受信できないことを前記ＵＴＲＡＮ１０に通知する。
【００９１】
特に、前記端末１０がＲＲＣ接続状態で１対多ＲＢにより複数のＭＢＭＳサービスを受信する場合、前記端末は、前記ＵＴＲＡＮ１００から命令を受信して前記端末１０が加入しているＭＢＭＳサービスのうち１つ以上のサービスに対して１対１ＲＢを設定する。その後、前記端末１０は、前記１対１ＲＢの設定情報を確認する。前記端末１０が、前記ＵＴＲＡＮ１００の命令によって設定された１対１ＲＢにより受信されるＭＢＭＳサービス優先順位の高いＭＢＭＳサービスを受信できない場合、前記端末１０は、前記１対１ＲＢの設定が承認できないことを前記ＵＴＲＡＮ１００に通知する。さらに、前記端末１０は、前記１対１ＲＢを設定できる特定サービスを前記ＵＴＲＡＮ１００に通知することができる。
【００９２】
また、前記端末１０がＲＲＣ接続状態で１対１ＲＢにより複数のＭＢＭＳサービスを受信する場合、前記端末は、前記ＵＴＲＡＮ１００から命令を受信して自身が加入しているＭＢＭＳサービスのうちの１つ以上のサービスに対して１対多ＲＢを設定する。その後、前記端末１０は、前記１対多ＲＢの設定情報を確認する。前記ＵＴＲＡＮ１００の命令によって設定された前記１対多ＲＢにより受信されるＭＢＭＳサービスより優先順位の高いＭＢＭＳサービスを受信できない場合、前記端末１０は、前記１対多ＲＢの設定を承認できないことを前記ＵＴＲＡＮ１００に通知する。さらに、前記端末１０は、前記１対１ＲＢを設定できる特定サービスを前記ＵＴＲＡＮ１００に通知することができる。
【００９３】
また、前記ＵＴＲＡＮ１００は、前記端末１０が前記ＵＴＲＡＮの命令に従って所定ＭＢＭＳサービスに対するＲＢを設定することができないというメッセージを受信すると、所定ＭＢＭＳサービスを受信しようとする端末のリストに前記端末１０を含めるか否かを再調整する。必要によって、前記ＵＴＲＡＮ１００は、前記端末１０が優先順位の高いＭＢＭＳサービスを受信できるように、前記ＲＢの設定を調節する。
【００９４】
図５は、特定ＭＢＭＳサービスに対して設定されたＲＢのタイプが１セッション中に変更される場合に、前記端末１０及び前記ＴＲＡＮ１００の動作を示す。図５において、前記端末がＭＢＭＳサービスＡ及びＭＢＭＳサービスＢを受信し、前記ＭＢＭＳサービスＡの優先順位が前記ＭＢＭＳサービスＢの優先順位より高いと仮定する。また、前記端末１０はＲＲＣ接続状態にあると仮定する。
【００９５】
前記ＵＴＲＡＮ１００は、新しく受信された前記ＭＢＭＳサービスＢに対して集計過程を行う（Ｓ１１０）。その後、前記集計過程の結果により、前記ＭＢＭＳサービスＢに対して設定されたＲＢのタイプが変更されたと判断される場合、前記ＵＴＲＡＮ１００は、前記端末１０に前記ＲＢの新しい設定情報を通知する（Ｓ１２０）。
【００９６】
前記ＵＴＲＡＮ１００から前記設定情報を受信すると、前記端末１０は、前記受信された情報を利用して各ＭＢＭＳサービスのＲＢ設定情報を確認する。その後、前記端末は、優先順位の高い前記ＭＢＭＳサービスＡを受信できるか否かを確認する（Ｓ１３０）。前記確認の結果、前記ＭＢＭＳサービスＡを受信できないと判断される場合、前記端末は、前記ＭＢＭＳサービスＡを受信できないことを前記ＵＴＲＡＮ１００に通知する（Ｓ１４０）。
【００９７】
本発明は、移動通信に関連して説明されたが、無線通信特性を備えたＰＤＡ及びラップトップコンピュータのような移動装置を使用する他の無線通信システムにも適用できる。また、本発明を説明するために使用された特定用語は本発明の権利範囲をＵＭＴＳなどの特定無線通信システムに限定するものではない。本発明は、さらに、ＴＤＭＡ、ＣＤＭＡ、ＦＤＭＡ、ＷＣＤＭＡなどの他の無線インターフェース及び／又は他の物理層を使用する他の無線通信システムにも適用できる。
【００９８】
本実施形態は、ソフトウェア、ファームウエア、ハードウェア又はこれらの組み合わせを生産するための標準プログラミング及び／又はエンジニアリング技術を利用して製造方法、装置又は製造物として実行できる。ここで、「製造物」という用語は、ハードウェアロジック（例：  集積回路チップ、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など）、コンピュータ可読媒体（例：  ハードディスクドライブ、フロッピー（登録商標）ディスク、テープなどの磁気記録媒体）、光記録装置（ＣＤ−ＲＯＭ、光ディスクなど）、又は揮発性／不揮発性メモリ装置（例：  ＥＥＰＲＯＭ、ＲＯＭ、ＰＲＯＭ、ＲＡＭ、ＤＲＡＭ、ＳＲＡＭ、ファームウエア、プログラムロジックなど）において実行されるコードやロジックを示す。
【００９９】
コンピュータ可読媒体内のコードはプロセッサにより接続及び実行される。本実施形態を実行するコードは伝送媒体を通じて、又はネットワーク上のファイルサーバから接続することもできる。その場合、前記コードが実行される製造物は、ネットワーク転送ライン、無線伝送媒体、空間を通じて伝達される信号、無線波、赤外線信号などの伝送媒体を含む。もちろん、当該技術分野における通常の知識を有する者であれば、本発明の要旨を逸脱しない範囲においてこのような形態の多様な変形が可能であり、前記製造物が公知の情報伝達媒体も含むことができるという点を理解すると思われる。
【０１００】
本発明の精神や重要な特性から外れないように多様な形態で本発明を実現することにより、前述した実施形態のいずれの細部的な記載内容によっても限定されず、添付された請求範囲に定義されたように本発明の精神や範囲内で広範囲に解釈されるべきであることを認識しなければならず、本発明の技術的保護範囲は、添付された特許請求の範囲の技術的思想により決定されるべきである。
【図面の簡単な説明】
【０１０１】
発明の理解を容易にするために添付され、本明細書の一部を構成する図面は、発明の多様な実施形態を示し、明細書と共に発明の原理を説明するためのものである。
【図１】従来のＵＭＴＳネットワーク構造を示すブロック図である。
【図２】３ＧＰＰ無線アクセスネットワーク標準に準拠する従来の無線インターフェースプロトコルの構造を示すブロック図である。
【図３】マルチキャストモードでの従来のＭＢＭＳサービス過程を示す図である。
【図４】本発明の実施形態による端末とネットワーク間の動作を示す図である。
【図５】本発明の一実施形態による端末とネットワーク間の動作を示し、所定サービスに設定された無線ベアラのタイプが変更される場合を示す図である。
【図１】
2007518306.tif 000003
【図２】
2007518306.tif 000004
【図３】
2007518306.tif 000005
【図４】
2007518306.tif 000006
【図５】
2007518306.tif 000007
【国際調査報告】
2007518306.tif 000008
2007518306.tif 000009